(57)【要約】【課題】再読み取りによる処理効率の向上を図るとともに、所望の原稿画像を作成することができる画像処理プログラム及び画像処理装置を提供する。【解決手段】画像処理システム１Ａは、頁単位で複数の原稿画像を読み取るスキャナ２と、その複数の原稿画像を画像データ３０として記憶する画像記憶装置３Ａと、ネットワーク１０とから構成されている。スキャナ２が有する制御部２０は、記憶部２１の画像処理プログラム２１０に従って動作することにより、読取部２２により読み取ったスキャンデータを取得する第１の取得手段２００、再スキャンの対象となる不良頁を受け付ける受付手段２０１、複数の原稿の一部又は全部を再度読み取った再スキャンデータを取得する第２の取得手段２０２、スキャンデータと再スキャンデータとを頁単位で比較して不良頁を特定する特定手段２０３、不良頁を修正して画像データ３０を作成する作成手段２０５等として機能する。【選択図】図２
2009033451.tif 000002
【特許請求の範囲】
【請求項１】
複数の原稿を頁単位で順次読み取って第１の複数の画像を取得する第１の取得手段、
再読み取りの指示を受けて、前記複数の原稿の一部又は全部を頁単位で順次読み取って第２の複数の画像を取得する第２の取得手段、
前記第１の取得手段により取得された前記第１の複数の画像と前記第２の取得手段により取得された前記第２の複数の画像とを頁単位で比較して前記第１の複数の画像における不良頁を特定する特定手段、
前記特定手段により特定された前記不良頁の画像を前記第２の取得手段により取得された前記第２の複数の画像に基づいて修正して最終的な複数の画像を作成する作成手段として、コンピュータを機能させるための画像処理プログラム。
【請求項２】
前記特定手段は、前記第１の複数の画像と前記第２の複数の画像の類似度が所定値以上である頁を検出し、その検出した頁を基準に不備画像の頁又は欠落した頁を前記不良頁として特定する請求項１に記載の画像処理プログラム。
【請求項３】
前記作成手段は、前記第１の取得手段により取得された前記第１の複数の画像のうち再読み取りを行う頁として再読み取り頁が指示されたとき、前記不良頁を前記再読み取り頁の画像により修正する請求項１又は２に記載の画像処理プログラム。
【請求項４】
さらに、前記特定手段により特定された前記不良頁の画像と、前記第２の取得手段により取得された前記第２の複数の画像のうち前記不良頁の画像に対応する頁の画像と、前記不良頁の画像を前記対応する頁の画像により修正するように前記作成手段に指示する指示ボタンとを含む画面を表示装置に表示する表示手段として、コンピュータを機能させるための請求項１又は２に記載の画像処理プログラム。
【請求項５】
前記作成手段は、前記特定手段により前記不良頁の画像が前記不備画像と特定されたとき、前記不良頁の画像を前記第２の複数の画像のうち前記不良頁の画像に対応する頁の画像により入れ替える請求項２に記載の画像処理プログラム
【請求項６】
前記作成手段は、前記特定手段により前記不良頁が欠落した頁と特定されたとき、前記不良頁の画像として前記第２の複数の画像のうち前記不良頁の画像に対応する頁の画像を挿入する請求項２に記載の画像処理プログラム。
【請求項７】
複数の原稿を頁単位で順次読み取る読取手段と、
前記読取手段により前記複数の原稿を読み取って第１の複数の画像を取得する第１の取得手段と、
再読み取りの指示を受けて、前記読取手段により前記複数の原稿の一部又は全部を頁単位で順次読み取って第２の複数の画像を取得する第２の取得手段と、
前記第１の取得手段により取得された前記第１の複数の画像と前記第２の取得手段により取得された前記第２の複数の画像とを頁単位で比較して前記第１の複数の画像における不良頁を特定する特定手段と、
前記特定手段により特定された前記不良頁の画像を前記第２の取得手段により取得された前記第２の複数の画像に基づいて修正して最終的な複数の画像を作成する作成手段とを備えた画像処理装置。
【請求項８】
前記特定手段は、前記第１の複数の画像と前記第２の複数の画像の類似度が所定値以上である頁を検出し、その検出した頁を基準に不備画像の頁又は欠落した頁を前記不良頁として特定する請求項７に記載の画像処理装置。
【発明の詳細な説明】
【技術分野】
【０００１】
本発明は、画像処理プログラム及び画像処理装置に関する。
【背景技術】
【０００２】
従来、複数ページからなる原稿を連続して読み取り、ジャム（原稿詰まり）発生時にその原稿を再度読み取って、印刷処理を行う画像複写装置が知られている（例えば、特許文献１参照。）。
【０００３】
この画像複写装置によれば、原稿を連続して読み取る読み取り手段と、ジャム発生時の原稿番号を記憶する記憶手段と、記憶手段に記憶された原稿番号により印刷処理を制御する制御手段とを有し、ジャム発生時に原稿を再度セットして印刷処理を再スタートしたとき、制御手段により印刷済みのページ（原稿番号）まで原稿を飛ばした上で、その続きから原稿を読み取り手段により読み取って、印刷処理を再開することができる。
【０００４】
【特許文献１】特開２００４−８０５４８号公報
【発明の開示】
【発明が解決しようとする課題】
【０００５】
本発明の目的は、再読み取りによる処理効率の向上を図るとともに、所望の原稿画像を作成することができる画像処理プログラム及び画像処理装置を提供することにある。
【課題を解決するための手段】
【０００６】
本発明の一態様は、上記目的を達成するため、以下の画像処理プログラム及び画像処理装置を提供する。
【０００７】
［１］複数の原稿を頁単位で順次読み取って第１の複数の画像を取得する第１の取得手段、再読み取りの指示を受けて、前記複数の原稿の一部又は全部を頁単位で順次読み取って第２の複数の画像を取得する第２の取得手段、前記第１の取得手段により取得された前記第１の複数の画像と前記第２の取得手段により取得された前記第２の複数の画像とを頁単位で比較して前記第１の複数の画像における不良頁を特定する特定手段、前記特定手段により特定された前記不良頁の画像を前記第２の取得手段により取得された前記第２の複数の画像に基づいて修正して最終的な複数の画像を作成する作成手段として、コンピュータを機能させるための画像処理プログラム。
【０００８】
［２］前記特定手段は、前記第１の複数の画像と前記第２の複数の画像の類似度が所定値以上である頁を検出し、その検出した頁を基準に不備画像の頁又は欠落した頁を前記不良頁として特定する前記［１］に記載の画像処理プログラム。
【０００９】
［３］前記作成手段は、前記第１の取得手段により取得された前記第１の複数の画像のうち再読み取りを行う頁として再読み取り頁が指示されたとき、前記不良頁を前記再読み取り頁の画像により修正する前記［１］又は［２］に記載の画像処理プログラム。
【００１０】
［４］さらに、前記特定手段により特定された前記不良頁の画像と、前記第２の取得手段により取得された前記第２の複数の画像のうち前記不良頁の画像に対応する頁の画像と、前記不良頁の画像を前記対応する頁の画像により修正するように前記作成手段に指示する指示ボタンとを含む画面を表示装置に表示する表示手段として、コンピュータを機能させるための前記［１］又は［２］に記載の画像処理プログラム。
【００１１】
［５］前記作成手段は、前記特定手段により前記不良頁の画像が前記不備画像と特定されたとき、前記不良頁の画像を前記第２の複数の画像のうち前記不良頁の画像に対応する頁の画像により入れ替える前記［２］に記載の画像処理プログラム
【００１２】
［６］前記作成手段は、前記特定手段により前記不良頁が欠落した頁と特定されたとき、前記不良頁の画像として前記第２の複数の画像のうち前記不良頁の画像に対応する頁の画像を挿入する前記［２］に記載の画像処理プログラム。
【００１３】
［７］複数の原稿を頁単位で順次読み取る読取手段と、前記読取手段により前記複数の原稿を読み取って第１の複数の画像を取得する第１の取得手段と、再読み取りの指示を受けて、前記読取手段により前記複数の原稿の一部又は全部を頁単位で順次読み取って第２の複数の画像を取得する第２の取得手段と、前記第１の取得手段により取得された前記第１の複数の画像と前記第２の取得手段により取得された前記第２の複数の画像とを頁単位で比較して前記第１の複数の画像における不良頁を特定する特定手段と、前記特定手段により特定された前記不良頁の画像を前記第２の取得手段により取得された前記第２の複数の画像に基づいて修正して最終的な複数の画像を作成する作成手段とを備えた画像処理装置。
【００１４】
［８］前記特定手段は、前記第１の複数の画像と前記第２の複数の画像の類似度が所定値以上である頁を検出し、その検出した頁を基準に不備画像の頁又は欠落した頁を前記不良頁として特定する前記［７］に記載の画像処理装置。
【発明の効果】
【００１５】
請求項１に係る画像処理プログラムによれば、再読み取りによる処理効率の向上を図るとともに、所望の原稿画像を取得することができる。
【００１６】
請求項２に係る画像処理プログラムによれば、本構成を有しない場合に比較して、不良頁の特定を簡便に行うことができる。
【００１７】
請求項３に係る画像処理プログラムによれば、再読み取りによる修正が必要な頁を指示することができる。
【００１８】
請求項４に係る画像処理プログラムによれば、不良画像に対して修正画像が正常かどうか確認することができる。
【００１９】
請求項５に係る画像処理プログラムによれば、不良画像があった場合、その不良画像に対応する正常な画像により修正することができる。
【００２０】
請求項６に係る画像処理プログラムによれば、欠落画像があった場合、その欠落した頁に対応する画像により修正することができる。
【００２１】
請求項７に係る画像処理装置によれば、再読み取りによる処理効率の向上を図るとともに、所望の原稿画像を取得することができる。
【００２２】
請求項８に係る画像処理装置によれば、本構成を有しない場合に比較して、不良頁の特定を簡便に行うことができる。
【発明を実施するための最良の形態】
【００２３】
［第１の実施の形態］
図１は、本発明の第１の実施の形態に係る画像処理システムの概略構成の一例を示す全体図である。この画像処理システム１Ａは、複数の原稿から頁単位で複数の原稿画像を読み取るスキャナ２と、スキャナ２により読み取られた複数の原稿画像を画像データ３０として記憶する画像記憶装置３Ａと、それらを相互に接続するネットワーク１０とから構成されている。
【００２４】
ここで、「原稿」とは、文書、写真、図表、イラスト等が紙、プラスチックシート等の記憶媒体に印刷、又は手書きされたものである。
【００２５】
スキャナ２は、ディスプレイの表面にタッチパネルを重畳して構成されたタッチパネルディスプレイや、スタートキー等のハードキーを備えた表示操作部２４を備えた画像処理装置である。なお、図１では、スキャナはスキャナ２の１台であるが、２台以上であってもよい。
【００２６】
ネットワーク１０は、有線ＬＡＮ、無線ＬＡＮ等のローカルエリアネットワークである。なお、インターネットに接続されたネットワークであってもよい。
【００２７】
（画像記憶装置）
画像記憶装置３Ａは、画像記憶装置３Ａの各部を制御する、例えば、ＣＰＵ等からなる制御部と、画像データ３０等のデータを記憶するＲＯＭ，ＲＡＭ，ハードディスク等からなる記憶部と、ネットワーク１０に接続されてデータの送受信を行う、例えば、ネットワークインタフェースカード等からなる通信部とを備える。
【００２８】
このような画像記憶装置３Ａは、例えば、サーバ、パーソナルコンピュータ（ＰＣ）、ワークステーション（ＷＳ）等により構成することができる。
【００２９】
（スキャナ）
図２は、スキャナ２の概略構成の一例を示すブロック図である。このスキャナ２は、上述の表示操作部２４の他に、このスキャナ２の各部を制御する、例えば、ＣＰＵ等からなる制御部２０と、画像処理プログラム２１０等のプログラム及びデータを記憶するＲＯＭ，ＲＡＭ，ハードディスク等からなる記憶部２１と、原稿からデジタルの原稿画像を光学的に読み取る読取部２２と、ネットワーク１０に接続された、例えば、ネットワークインタフェースカードからなるネットワーク通信部２３とを備え、これらがバス２５を介して互いに接続されている。
【００３０】
読取部２２は、原稿が１枚ずつ載置される原稿台と、原稿を自動的に１枚ずつ原稿台に供給するＡＤＦ（自動給紙装置）と、原稿台に載置された原稿、あるいはＡＤＦから供給された原稿から原稿画像を光学的に読み取る光電変換素子と、光電変換素子から出力されたアナログ信号をデジタル信号に変換するＡ／Ｄ変換器とを備えている。
【００３１】
制御部２０は、記憶部２１に記憶されている画像処理プログラム２１０に従って動作することにより、複数の原稿を読取部２２により読み取った複数の原稿画像からなるスキャンデータを取得する第１の取得手段２００、再スキャン（再読み取り）の対象となる不良頁の指示を受け付ける受付手段２０１、再スキャンの指示を受けて、複数の原稿の一部又は全部を再度読み取った複数の原稿画像からなる再スキャンデータを取得する第２の取得手段２０２、スキャンデータと再スキャンデータとを頁単位で比較して、再スキャンデータにおける不良頁に対応する頁を特定する特定手段２０３、不良頁の原稿画像の修正の指示を受け付ける画面を表示する表示手段２０４、不良頁の原稿画像を修正した最終的な画像データ３０を作成する作成手段２０５等として機能する。
【００３２】
ここで、「不良頁」とは、スキャナ２により原稿が正常に読み取られなかった頁をいう。この不良頁には、例えば、原稿が斜めやよれ曲がった等の状態で読み取られた不備頁、原稿が２枚重なった状態で読み取られたことにより本来存在する頁が欠落した欠落頁、同じ原稿が複数回読み取られたことによる不要な頁を示す不要頁等が含まれる。
【００３３】
（第１の実施の形態の動作）
次に、本発明の第１の実施の形態に係る画像処理システム１Ａの動作の一例を図３〜図９を参照し、図１０に示すフローチャートに従って説明する。ここでは、５頁からなる原稿をスキャナ２で読み取った場合について説明する。
【００３４】
（１）スキャン処理、及び不良頁の指示
まず、ユーザが、スキャナ２の原稿台あるいはＡＤＦにスキャンする原稿をセットし、スキャンする際の原稿サイズ、解像度等を表示操作部２４により入力することによりスキャン指示を行う。
【００３５】
次に、スキャナ２の制御部２０が、表示操作部２４により入力されたスキャン指示を受け付けると、原稿台等にセットされた原稿を頁単位で読取部２２により順次読み取り、その読み取った順序を示す管理番号が割り振られた原稿画像を作成する。
【００３６】
次に、第１の取得手段２００は、読取部２２により読み取られた原稿画像をバス２５を介して取得し、その管理番号とともに原稿画像をスキャンデータとして記憶部２１に記憶する。
【００３７】
また、制御部２０は、その原稿画像を受け取ると、その原稿画像を含む原稿画像確認画面を表示操作部２４に表示する。
【００３８】
ここで、図３は、表示操作部２４に表示された原稿画像確認画面１２Ａの一例を示す図である。この原稿画像確認画面１２Ａは、原稿が読取部２２により順次読み取られていくのに合わせて、その中央に、読取部２２により直前に読み取られた原稿画像を現在の原稿画像１２０に随時更新して表示するものである。
【００３９】
また、原稿画像確認画面１２Ａには、現在の原稿画像１２０の左側に、現在の原稿画像１２０に対して１頁前の原稿画像１２１Ａと、その原稿画像１２１Ａを中央に表示するための左矢印ボタン１２２Ａと、その右側に、現在の原稿画像１２０に対して１頁後の原稿画像１２１Ｂと、その原稿画像１２１Ｂを中央に表示するための右矢印ボタン１２２Ｂとが表示可能な場合に表示され、その下側に、現在の原稿画像１２０に対して、ユーザにより再スキャンが必要と判断された場合に押下されるＮＧボタン１２３が表示されている。なお、制御部２０は、複数の原稿画像の前後の関係を、原稿画像に割り振られた管理番号により判断する。
【００４０】
次に、ユーザが、原稿画像確認画面１２Ａに表示された現在の原稿画像１２０を目視し、再スキャンが必要と判断した不良頁が存在する場合には、ＮＧボタン１２３を押下する。
【００４１】
ここで、図４は、ＮＧボタン１２３を押下したときに表示される原稿画像確認画面１２Ｂの一例を示す図である。この原稿画像確認画面１２Ｂには、原稿画像確認画面１２Ａと同様のレイアウトを有し、ＮＧボタン１２３により指示された不良頁の原稿画像を識別するための不良頁マーク１２５Ａと不良頁枠１２５Ｂとが表示され、さらに下側段に、再スキャンを指示する再スキャンボタン１２６と、不良頁の指示の完了を示すＯＫボタン１２４Ａと、不良頁の指示のキャンセルを示すキャンセルボタン１２４Ｂとが表示されている。
【００４２】
なお、再スキャンボタン１２６は、ＮＧボタン１２３が一度でも押下されたときに表示されるものでもよいし、ＯＫボタン１２４Ａ及びキャンセルボタン１２４Ｂは全ての原稿のスキャン処理が終了したときに表示されるものでもよい。
【００４３】
次に、スキャナ２の読取部２２が全ての原稿のスキャン処理を完了し、ユーザは、再スキャンを行いたい原稿画像をＮＧボタン１２３により指示した後、ＯＫボタン１２４Ａを押下する。また、読取部２２が全ての原稿に対してスキャン処理を終えていない場合でも、ユーザがスキャン処理を中断して再スキャンを行いたい場合には、再スキャンボタン１２６を押下すればよい。
【００４４】
そして、受付手段２０１は、ユーザによりＯＫボタン１２４Ａ又は再スキャンボタン１２６が押下された旨の通知を受けると、ＮＧボタン１２３により再スキャンの指示がされた不良頁を示す不良頁情報を受け付けるとともに、再スキャンの指示を受け付ける。次に、受付手段２０１は、原稿の再スキャンをユーザに促す再スキャン指示メッセージを表示操作部２４に表示する。なお、再スキャン指示メッセージに不良頁情報を表示してもよい。
【００４５】
（２）再スキャン処理
ユーザは、再スキャン指示メッセージを確認すると、再スキャンの指示を行った不良頁を含む原稿を原稿台等にセットし（Ｓ１００）、表示操作部２４により再スキャン指示を行う。なお、再スキャンを行う原稿は、全ての原稿でもよいし、不良頁とその前後の頁の原稿でもよい。
【００４６】
ここでは、５頁からなる原稿のうち、ユーザが３頁目の原稿画像に対してＮＧボタン１２３を押下することにより不良頁の指示をして、２頁から４頁までの原稿を原稿台等にセットしたものとして説明する。なお、ユーザにより全ての原稿がセットされた場合は、スキャナ２の読取部２２は、不良頁の指示がされた３頁の前後の頁、例えば、２頁から４頁までの原稿だけを読み取り、１頁目と５頁目の原稿を空送りしてもよい。
【００４７】
次に、スキャナ２の受付手段２０１が、再スキャン指示を受け付けると、その原稿を頁単位で読取部２２により順次読み取って、管理番号がそれぞれ割り振られた３つの原稿画像からなる再スキャンデータを作成する（Ｓ１０１）。
【００４８】
次に、第２の取得手段２０２は、読取部２２により読み取られた再スキャンデータを取得し、その再スキャンデータを記憶部２１に一時的に記憶する。
【００４９】
次に、特定手段２０３は、記憶部２１から再スキャンデータを読み出して、その再スキャンデータが何枚の原稿を読み取ったものであるか原稿の枚数を取得する（Ｓ１０２）。
【００５０】
次に、特定手段２０３が、その原稿の枚数が２枚以上であると判断した場合には（Ｓ１０３：Ｙｅｓ）、特定手段２０３は、さらに記憶部２１からスキャンデータを読み出して、そのスキャンデータの原稿画像と再スキャンデータの原稿画像とを画像処理により頁単位で比較する（Ｓ１０４）。
【００５１】
例えば、特定手段２０３は、パターンマッチング法により、スキャンデータにおける最初の頁に該当する原稿画像を基準パターンとして、その基準パターンと再スキャンデータの複数の原稿画像とを順番に比較して、類似度が所定のしきい値以上であるとき、その原稿画像との間に同一性を有すると判断する。一方、その基準パターンに対して同一性を有する原稿画像が見つからない場合は、スキャンデータにおける次の頁の原稿画像を基準パターンとして検索し、最後の頁まで順番に基準パターンを変更しても、同一性を有する原稿画像が見つからない場合は、同一性を有する原稿画像はないと判断する。
【００５２】
なお、基準パターンは、原稿画像全体を対象にしてもよいし、原稿に頁数が印刷されている等の場合には、原稿画像の一部を対象にしてもよい。また、原稿に図表等の罫線がある場合は、その罫線のレイアウトにより同一性を判断してもよいし、原稿に印刷された文字列の比較により同一性を判断してもよい。
【００５３】
そして、特定手段２０３は、スキャンデータの原稿画像と再スキャンデータの原稿画像との間に同一性がある頁を検出した場合には（Ｓ１０５：Ｙｅｓ）、その同一性を有する頁を基準として、不良頁を含む前後の原稿の枚数をスキャンデータ及び再スキャンデータに対してカウントする（Ｓ１０６）。
【００５４】
ここで、図５（ａ）に例示するように、スキャンデータ１３Ａは、頁を示す頁像１３１Ａ〜１３１Ｅをそれぞれ含む５つの原稿画像１３０Ａ〜１３０Ｅからなり、再スキャンデータ１４Ａは、同様の頁像１４１Ａ〜１４１Ｃをそれぞれ含む３つの原稿画像１４０Ａ〜１４０Ｅからなる。なお、頁像１３１Ａ〜１３１Ｅは、原稿に印刷された頁が画像として読み取られたものであるため、頁像がない場合があってもよい。
【００５５】
このような場合、特定手段２０３は、スキャンデータ１３Ａのうち不良頁として指示された３頁目の原稿画像１３０Ｃの前後の頁に当たる２頁目及び４頁目の原稿画像１３０Ｂ，１３０Ｄに対して、再スキャンデータ１４Ａのうち１頁目及び３頁目の原稿画像１４０Ａ，１４０Ｃがそれぞれ同一性を有すると判断する。そして、特定手段２０３は、スキャンデータ１３Ａ及び再スキャンデータ１４Ａに対する不良頁を含む前後の原稿の枚数は、それぞれ３枚とカウントする。
【００５６】
また、図５（ｂ）に例示するような本来の３頁目が欠落画像１３２として抜けているスキャンデータ１３Ｂでは、特定手段２０３は、スキャンデータ１３Ｂの２頁目、３頁目の原稿画像１３０Ｂ，１３０Ｃに対して、再スキャンデータ１４Ｂの原稿画像１４０Ａ１〜１４０Ｃのうち１頁目、３頁目の原稿画像１４０Ａ，１４０Ｃがそれぞれ同一性を有すると判断する。そして、特定手段２０３は、スキャンデータ１３Ｂに対する不良頁を含む前後の原稿の枚数は２枚とカウントし、再スキャンデータ１４Ｂに対する不良頁を含む前後の原稿の枚数は３枚とカウントする。
【００５７】
次に、特定手段２０３は、不良頁を含む前後の原稿の枚数がスキャンデータと再スキャンデータとで同じと判断した場合には（Ｓ１０７：Ｙｅｓ）、スキャンデータのうち不良頁とされた原稿画像に対して、再スキャンデータのうちその不良頁に対応する原稿画像を修正頁として入れ替えるもの（入れ替え）と判断する（Ｓ１２０）。
【００５８】
すなわち、図５（ａ）の場合には、特定手段２０３は、不良頁とされた３頁目の原稿画像１３０Ｃの前後の原稿画像１３０Ｂ，１３０Ｄと再スキャンデータ１３Ａの原稿画像１４０Ａ，１４０Ｃとの間に同一性をそれぞれ有するものであるため、その３頁目の原稿画像１３０Ｃに対して、２頁目の原稿画像１４０Ｂを修正頁として入れ替えるものと判断する。そして、表示手段２０４は、スキャンデータ１３Ａ及び再スキャンデータ１４Ａの原稿画像とともにその判断した結果を入れ替え画像確認画面として、表示操作部２４に表示する。
【００５９】
ここで、図６は、表示操作部２４に表示された図５（ａ）についての入れ替え画像確認画面１５Ａの一例を示す図である。この入れ替え画像確認画面１５Ａには、上段のスキャンデータ表示領域１５０に、スキャンデータ１３Ａの原稿画像１３０Ｂ〜１３０Ｄ及び頁像１３１Ｂ〜１３１Ｄが左から頁順に表示され、下段の再スキャンデータ表示領域１５１に、対応する再スキャンデータ１４Ａの原稿画像１４０Ａ〜１４０Ｃ及び頁像１４１Ａ〜１４１Ｃが左から頁順に表示され、その下に、原稿画像の入れ替えを行うか否か指示するＯＫボタン１５２Ａ及びキャンセルボタン１５２Ｂが表示されている。
【００６０】
また、入れ替え画像確認画面１５Ａには、修正対象の不良頁を示す不良頁マーク１５４と、修正対象の原稿画像１３０Ｃに対する修正頁として原稿画像１４０Ｂが特定手段２０３により特定された結果を示す入れ替え矢印１５３とが表示されている。例えば、修正対象の原稿画像１３０Ｃは、他の原稿画像１３０Ｂ，１３０Ｄより大きなサイズで表示されている。
【００６１】
そして、ユーザが、その入れ替え画像確認画面１５Ａに対して、ＯＫボタン１５２Ａを押下すると、表示手段２０４は、図７の入れ替え画像確認画面１５Ｂに例示するように、スキャンデータ１３Ａの原稿画像１３０Ｃ上に、例えば、重なるように再スキャンデータ１４Ａの原稿画像１４０Ｂによる入れ替え後の原稿画像１５６と、その入れ替えが行われたことを示す入れ替え済みマーク１５５を表示する。
【００６２】
また、特定手段２０３が、原稿の枚数がスキャンデータと再スキャンデータとで異なると判断した場合（Ｓ１０７：Ｎｏ）、スキャンデータのうち不良頁とされた原稿画像の前後どちらかに、再スキャンデータのうちその不良頁に対応する原稿画像を修正頁として差し込むもの（差し込み）と判断する（Ｓ１２０）。
【００６３】
すなわち、図５（ｂ）の場合には、特定手段２０３は、不良頁とされた３頁目の原稿画像１３０Ｃと再スキャンデータ１４Ｂの３頁目の原稿画像１４０Ｃとの間、スキャンデータ１３Ａの２頁目の原稿画像１３０Ｂと再スキャンデータ１４Ｂの１頁目の原稿画像１４０Ａとの間に同一性をそれぞれ有するものであるため、その３頁目の原稿画像１３０Ｃの前に、２頁目の原稿画像１４０Ｂを修正頁として差し込むものと判断する。そして、表示手段２０４は、入れ替えの際と同様に、その判断した結果を差し込み画像確認画面として、表示操作部２４に表示する。
【００６４】
ここで、図８は、表示操作部２４に表示された図５（ｂ）についての差し込み画像確認画面１６Ａの一例を示す図である。この差し込み画像確認画面１６Ａには、上段のスキャンデータ表示領域１６０に、スキャンデータ１３Ｂのる原稿画像１３０Ｂ，１３０Ｃと、欠落画像１３２とが左から頁順に表示され、下段の再スキャンデータ表示領域１６１に、対応する再スキャンデータ１４Ｂの原稿画像１４０Ａ〜１４０Ｃが左から頁順に表示され、その下に、原稿画像の差し込みを行うか否か指示するＯＫボタン１６２Ａ及びキャンセルボタン１６２Ｂが表示されている。
【００６５】
また、差し込み画像確認画面１６Ａには、修正対象の不良頁を示す不良頁マーク１６４と、修正対象の３頁目に対する修正頁として原稿画像１４０Ｂが特定手段２０３により特定された結果を示す差し込み矢印１６３とが表示されている。
【００６６】
そして、ユーザが、その差し込み画像確認画面１６Ａに対して、ＯＫボタン１６２Ａを押下すると、表示手段２０４は、図９の差し込み画像確認画面１６Ｂに例示するように、欠落画像１３２に対して再スキャンデータ１４Ｂの原稿画像１４０Ｂによる差し込み後の原稿画像１６７と、その差し込みが行われたことを示す差し込み済みマーク１６６を表示する。
【００６７】
上記ステップＳ１０３において、特定手段２０３が、その原稿枚数が１枚であると判断した場合（Ｓ１０３：Ｎｏ）、又は上記ステップＳ１０５において、同一性を有する頁を検出しないかった場合（Ｓ１０５：Ｎｏ）には、入れ替え、差し込み、再スキャンのいずれかを行うかをユーザに確認する修正確認メッセージを表示操作部２４に表示する（Ｓ１１０）。
【００６８】
そして、特定手段２０３は、その修正確認メッセージに対するユーザからの入力に基づいて、入れ替え（Ｓ１２０）、差し込み（Ｓ１２１）、再スキャン（Ｓ１００）のいずれかのステップに進むものと判断する。その後の各ステップは上述と同様であるため、それらの説明は省略する。
【００６９】
（３）スキャンデータの作成
作成手段２０５は、特定手段２０３及び表示手段２０４により特定された結果に基づいて、不良頁に対応する修正頁の原稿画像により、スキャンデータを修正して画像データ３０を作成する。
【００７０】
例えば、図５（ａ）のように入れ替えの場合には、画像データ３０は、スキャンデータ１３Ａの３頁目の原稿画像１３０Ｃを、再スキャンデータ１４Ｂの２頁目の原稿画像１４０Ｂで入れ替えたものとして作成される。
【００７１】
また、図５（ｂ）のように差し込みの場合には、画像データ３０は、スキャンデータ１３Ｂの２頁目の原稿画像１３０Ｂと３頁目の原稿画像１３０Ｃとの間に、再スキャンデータ１４Ｂの２頁目の原稿画像１４０Ｂを差し込んだものとして作成される。
【００７２】
次に、作成手段２０５は、その作成した画像データ３０をネットワーク通信部２３によりネットワーク１０を介して、画像記憶装置３Ａに送信する。そして、画像記憶装置３Ａは、スキャナ２から画像データ３０を受信し、その画像データ３０を画像記憶装置３Ａの記憶部に記憶する。
【００７３】
［第２の実施の形態］
図１１は、本発明の第２の実施の形態に係る画像処理システムの概略構成の一例を示す全体図である。第１の実施の形態に係る画像処理システム１Ａは、スキャナ２で読み取った原稿画像に対して、ユーザがスキャナ２の表示操作部２４により不良頁を指示したのに対し、本実施の形態に係る画像処理システム１Ｂでは、スキャナ２の代わりに原稿を読み取る複合機４が、読み取ったスキャンデータと再スキャンデータとに基づいて、画像処理により不良頁を特定するものである。
【００７４】
すなわち、画像処理システム１Ｂは、スキャン、コピー（複写）、プリント、ファックス等の複数の機能を有する複合機４と、複合機４により読み取られた複数の原稿画像を画像データ３０として画像記憶装置３Ａと、それらを相互に接続するネットワーク１０とから構成されている。
【００７５】
複合機４は、スキャナ２が有する表示操作部２４と同様の表示操作部４４を備えた画像処理装置である。なお、図１１では、複合機は複合機４の１台であるが、２台以上であってもよい。
【００７６】
図１２は、複合機４の概略構成の一例を示すブロック図である。この複合機４は、上述の表示操作部４４の他に、この複合機４の各部を制御する、例えば、ＣＰＵ等からなる制御部４０と、画像処理プログラム４１０等のプログラム及びデータを記憶するＲＯＭ，ＲＡＭ，ハードディスク等からなる記憶部４１と、原稿から原稿画像を光学的に読み取る読取部４２と、原稿の印刷を行う電子写真方式やインクジェット方式等の印刷部４３と、ネットワーク１０に接続された、例えば、ネットワークインタフェースカードからなるネットワーク通信部４５と、電話回線網１１に接続されたファクシミリ通信部４６とを備え、これらがバス４７を介して互いに接続されている。
【００７７】
制御部４０は、記憶部４１に記憶されている画像処理プログラム４１０に従って動作することにより、複数の原稿を読取部４２により読み取った複数の原稿画像からなるスキャンデータを取得する第１の取得手段４００、再スキャンの指示を受けて、複数の原稿の一部又は全部を再度読み取った複数の原稿画像からなる再スキャンデータを取得する第２の取得手段４０１、スキャンデータと再スキャンデータとを頁単位で比較して、スキャンデータにおける不良頁を特定する特定手段４０２、特定手段４０２により特定された不良頁の原稿画像の修正の指示を受け付ける画面を表示する表示手段４０３、不良頁の原稿画像を修正した最終的な画像データ３０を作成する作成手段４０４等として機能する。
【００７８】
（第２の実施の形態の動作）
次に、本発明の第２の実施の形態に係る画像処理システム１Ｂの動作の一例を説明する。ここでは、５頁からなる原稿を複合機４で読み取った場合について、図１３及び図１４を参照し、図１０に例示するフローチャートに従って説明する。
【００７９】
（１）スキャン処理
まず、ユーザが、第１の実施の形態と同様に、複合機４の原稿台等にスキャンする原稿をセットし、表示操作部４４によりスキャン指示を行う。
【００８０】
次に、複合機４の制御部４０が、表示操作部４４によるスキャン指示を受け付けると、原稿台等にセットされた原稿を頁単位で読取部４２により順次読み取って、管理番号付きの原稿画像を作成する。
【００８１】
次に、第１の取得手段４００は、読取部４２により読み取られた原稿画像をバス４７を介して取得し、その原稿画像をスキャンデータとして記憶部４１に一時的に記憶する。また、制御部４０は、その原稿画像を受け取ると、その原稿画像を含む原稿画像確認画面を表示操作部２４に表示する。
【００８２】
ここで、図１３は、表示操作部２４に表示された原稿画像確認画面１２Ｃの一例を示す図である。この原稿画像確認画面１２Ｃは、第１の実施の形態に係る原稿画像確認画面１２Ａと比較して、ＮＧボタン１２３が表示されておらず、再スキャンボタン１２６が表示されている点が異なり、その他は同様であるため、その説明を省略する。
【００８３】
次に、ユーザが、原稿画像確認画面１２Ｃに表示された現在の原稿画像１２０を目視し、再スキャンを行いたい原稿画像が存在する場合には、再スキャンボタン１２６を押下する。
【００８４】
そして、複合機４の制御部４０は、再スキャンボタン１２６が押下されたことを検出すると、再スキャン指示メッセージを表示操作部２４に表示する。なお、スキャン処理が実行中である場合は、スキャン処理を中断して再スキャン指示メッセージを表示してもよいし、スキャン処理を完了してから再スキャン指示メッセージを表示してもよい。
【００８５】
（２）再スキャン処理
ユーザは、再スキャン指示メッセージを確認すると、再スキャンが必要な原稿、例えば、再スキャンを指示したときにスキャン処理が終了していた頁からなる原稿を原稿台等にセットし、表示操作部４４により再スキャン指示を行う（Ｓ１００）。ここでは、ユーザが、５頁からなる原稿のうち、５頁全ての原稿を原稿台等にセットしたものとして説明する。
【００８６】
次に、複合機４の制御部４０が、再スキャン指示を受け付けると、その原稿を頁単位で読取部４２により順次読み取って、管理番号付きの原稿画像を作成する（Ｓ１０１）。そして、第２の取得手段４０１は、読取部２２により読み取られた複数の原稿画像を取得し、その複数の原稿画像を再スキャンデータとして記憶部４１に一時的に記憶する。
【００８７】
次に、特定手段４０２は、記憶部４１から再スキャンデータを読み出して、その再スキャンデータから原稿の枚数を取得し（Ｓ１０２）、その原稿の枚数が２枚以上であると判断した場合には（Ｓ１０３：Ｙｅｓ）、さらに記憶部４１から読み出したスキャンデータの原稿画像と再スキャンデータの原稿画像とを画像処理により頁単位で比較する（Ｓ１０４）。
【００８８】
そして、特定手段４０２は、スキャンデータの原稿画像と再スキャンデータの原稿画像との間に同一性がある頁を検出した場合には（Ｓ１０５：Ｙｅｓ）、その検出した頁を基準として、その後の頁についても同様に頁単位で比較して、同一性を有しない頁があれば、その頁を不良頁として特定する。なお、特定手段４０２は、スキャンデータの原稿画像を水平方向と垂直方向に投射した射影から原稿画像の傾き量を求めて、その傾き量が所定以上であった場合に不備画像の不良頁として特定してもよい。
【００８９】
次に、特定手段４０２は、その同一性を有する頁を基準として、不良頁を含む原稿の枚数をスキャンデータ及び再スキャンデータに対してカウントする（Ｓ１０６）。
【００９０】
例えば、図１４（ａ）に示す場合には、特定手段４０２は、スキャンデータ１３Ｃと再スキャンデータ１４Ｃとの原稿の枚数がそれぞれ５枚で同じであるため（Ｓ１０７：Ｙｅｓ）、不良頁の原稿画像１３０Ｃ、１３０Ｅに対して修正頁の原稿画像１４０Ｃ、１４０Ｅによる入れ替えをそれぞれ行うものと判断し（Ｓ１２０）、第１の実施の形態と同様に、表示手段４０３は入れ替え画像確認画面を表示する。
【００９１】
また、図１４（ｂ）に示す場合には、特定手段４０２は、スキャンデータ１３Ｄの原稿の枚数が４枚で、再スキャンデータ１４Ｄの原稿の枚数が５枚で異なるため（Ｓ１０７：Ｎｏ）、不良頁の欠落画像１３２に対して修正頁の原稿画像１４０Eによる差し込みを行うと判断し（Ｓ１２１）、第１の実施の形態と同様に、表示手段４０３は差し込み画像確認画面を表示する。
【００９２】
上記ステップＳ１０３において、特定手段４０２が、その原稿枚数が１枚であると判断した場合（Ｓ１０３：Ｎｏ）、又は上記ステップＳ１０５において、同一性を有する原稿画像がないと判断した場合（Ｓ１０５：Ｎｏ）は、第１の実施の形態と同様に、修正確認メッセージを表示操作部４４に表示し（Ｓ１１０）、特定手段４０２は、その修正確認メッセージに対するユーザからの入力に基づいて、入れ替え（Ｓ１２０）、差し込み（Ｓ１２１）、再スキャン（Ｓ１００）のいずれかのステップに進むものと判断する。
【００９３】
（３）スキャンデータの作成
作成手段４０４は、特定手段４０２及び表示手段４０３により特定された結果に基づいて、不良頁に対応する修正頁の原稿画像により、スキャンデータを入れ替え又は差し込みにより修正して画像データ３０を作成する。
【００９４】
例えば、図１４（ａ）の場合には、画像データ３０は、スキャンデータ１３Ｃの３頁目及び５頁目の原稿画像１３０Ｃ，１３０Ｅを、再スキャンデータ１４Ｃの３頁目及び５頁目の原稿画像１４０Ｃ，１４０Ｅでそれぞれ入れ替えたものとして作成される。
【００９５】
また、図１４（ｂ）の場合には、画像データ３０は、スキャンデータ１３Ｄの４頁目の原稿画像１３０Ｄの後に、再スキャンデータ１４Ｄの５頁目の原稿画像１４０Ｅを差し込んだものとして作成される。
【００９６】
次に、作成手段４０４は、その作成したスキャンデータをネットワーク通信部２３によりネットワーク１０を介して、画像記憶装置３Ａに送信する。そして、画像記憶装置３Ａは、複合機４からスキャンデータを受信し、その画像データ３０を画像記憶装置３Ａの記憶部に記憶する。
【００９７】
［第３の実施の形態］
図１５は、本発明の第３の実施の形態に係る画像処理装置が適用された画像処理システムの概略構成の一例を示す全体図である。第１の実施の形態に係る画像処理システム１Ａは、スキャナ２により読み取った原稿画像に基づいて画像データ３０を作成したのに対し、本実施の形態に係る画像処理システム１Ｃでは、スキャナ２の代わりに第１の複合機４Ａにより読み取ったスキャンデータ３１と、第２の複合機４Ｂにより同じ原稿の一部又は全部を再度読み取った再スキャンデータ３３とを画像記憶装置３Ｂに記憶し、端末５によりそれらのデータに基づいて画像データ３０を作成するものである。
【００９８】
すなわち、画像処理システム１Ｃは、第１及び第２の複合機４Ａ，４Ｂと、第１及び第２の複合機４Ａにより読み取られたスキャンデータ３１、及びそのスキャンデータ３１に対する不良頁情報３２を記憶する画像記憶装置３Ｂと、スキャンデータ３１及び不良頁情報３２に基づいて、再スキャンデータ３３により修正した画像データ３０を作成する端末５とを備え、それらを相互に接続するネットワーク１０とから構成されている。
【００９９】
第１及び第２の複合機４Ａ，４Ｂは、第２の実施の形態に係る複合機４と同様に、制御部４０、記憶部４１、読取部４２、印刷部４３、表示操作部４４、ネットワーク通信部４５、及びファクシミリ通信部４６とを備え、これらがバス４７を介して互いに接続されている。なお、図１５では、複合機は複合機４Ａ，４Ｂの２台であるが、１台でもよいし、３台以上であってもよい。
【０１００】
（端末）
図１６は、端末５の概略構成の一例を示すブロック図である。この端末５は、この端末５の各部を制御する、例えば、ＣＰＵ等からなる制御部５０と、画像処理プログラム５１０等のプログラム及びデータを記憶するＲＯＭ，ＲＡＭ，ハードディスク等からなる記憶部５１と、ネットワーク１０に接続された、例えば、ネットワークインタフェースカードからなる通信部５２と、操作指示を受け付けるキーボード、マウス等を備えた入力部５３と、表示画面や処理結果等を表示する液晶ディスプレイ等からなる表示部５４とから構成されている。
【０１０１】
制御部５０は、記憶部５１に記憶されている画像処理プログラム５１０に従って動作することにより、複数の原稿を読み取った複数の原稿画像を取得する第１の取得手段５００、再スキャンの対象となる不良頁の指示を受け付ける受付手段５０１、再スキャンの指示を受けて、原稿を再度読み取った再スキャンデータを取得する第２の取得手段５０２、スキャンデータと再スキャンデータとを頁単位で比較して、再スキャンデータにおける不良頁に対応する頁を特定する特定手段５０３、不良頁の原稿画像の修正の指示を受け付ける画面を表示する表示手段５０４、不良頁の原稿画像を修正した最終的な画像データ３０を作成する作成手段５０５等として機能する。
【０１０２】
（第３の実施の形態の動作）
次に、本発明の第３の実施の形態に係る画像処理システム１Ｃの動作の一例を説明する。ここでは、ユーザＡが原稿を第１の複合機４Ａで読み取り、ユーザＢが再スキャンによる原稿を第２の複合機４Ｂで読み取った場合について、図１０のフローチャートに従って説明する。なお、同一のユーザが、再スキャンを行ってもよいし、第１及び第２の複合機４Ａ，４Ｂのいずれの複合機で読み取ってもよい。
【０１０３】
（１）スキャン処理
まず、ユーザＡが、第１の複合機４Ａの原稿台等にスキャンする原稿をセットして、表示操作部４４によりスキャン指示を行う。
【０１０４】
次に、第１の複合機４Ａの制御部４０が、そのスキャン指示を受け付けると、原稿台等にセットされた原稿を頁単位で読取部４２により順次読み取って、管理番号付きの原稿画像を作成する。
【０１０５】
次に、制御部４０は、その原稿画像をバス４７を介して取得し、第１の実施の形態と同様に、その原稿画像を含む原稿画像確認画面１２Ａを表示操作部４４に表示する。
【０１０６】
次に、制御部４０は、原稿画像確認画面１２BにおけるＯＫボタン１２４Ａ、又は再スキャンボタン１２６がユーザＡにより押下された旨の通知を受けると、ＮＧボタン１２３により指示された不良頁を示す不良頁情報を受け付ける。
【０１０７】
次に、制御部４０は、その複数の原稿画像からなるスキャンデータと、そのスキャンデータに対応する不良頁情報を画像記憶装置３Ｂに送信する。
【０１０８】
次に、画像記憶装置３Ｂは、第１の複合機４Ａからスキャンデータ及び不良頁情報を受信すると、そのスキャンデータを特定するためのＩＤ情報を発行して、ＩＤ情報とともにスキャンデータ３１及び不良頁情報３２を画像記憶装置３Ｂの記憶部に記憶する。なお、ＩＤ情報は、ＱＲコード（登録商標）、Ｄａｔａ  Ｍａｔｒｉｘ等の２次元コードやバーコード等の１次元コードを用い、それらを第１及び第２の複合機４Ａ，４Ｂの印刷部４３により印刷してもよい。
【０１０９】
（２）再スキャン処理
ユーザＢは、画像記憶装置３Ｂの記憶部に記憶されたスキャンデータ３１のうち、不良頁情報が存在するスキャンデータ３１を確認すると、そのスキャンデータ３１に対応する原稿の再スキャンを第２の複合機４Ｂで行うため、再スキャンが必要な原稿を原稿台等にセットし、表示操作部４４により再スキャン指示を行う（Ｓ１００）。その際、その原稿のＩＤ情報を取得するため、ＱＲコード等によりＩＤ情報が印刷されている場合は、そのＩＤ情報の印刷物も原稿とともにスキャンしてもよいし、印刷されていない場合は、表示操作部４４により入力してもよい。
【０１１０】
次に、第２の複合機４Ｂの制御部４０が、再スキャン指示を受け付けると、その原稿を頁単位で読取部４２により順次読み取って、管理番号付きの原稿画像を作成する（Ｓ１０１）。そして、制御部４０は、その複数の原稿画像からなる再スキャンデータ及びＩＤ情報を画像記憶装置３Ｂに送信する。
【０１１１】
次に、画像記憶装置３Ｂは、第２の複合機４Ｂから再スキャンデータ及びＩＤ情報を受信し、その再スキャンデータ３３をＩＤ情報によりスキャンデータ３１及び不良頁情報３２に関連付けて画像記憶装置３Ｂの記憶部に記憶する。
【０１１２】
次に、ユーザは、端末５の入力部５３により、画像処理プログラム５１０の起動を指示すると、端末５の制御部５０は、画像処理プログラム５１０に従って動作し、画像記憶装置３Ｂに記憶されたスキャンデータ３１の一覧を表示部５４に表示する。
【０１１３】
次に、ユーザが、その一覧から先ほど再スキャンを行った原稿を指示すると、端末５の制御部５０は、画像記憶装置３Ｂに対して、その原稿に関するスキャンデータ３１、不良頁情報３２及び再スキャンデータ３３の送信を要求する。そして、画像記憶装置３Ｂは、その要求を受信すると、記憶部に記憶されたスキャンデータ３１、不良頁情報３２及び再スキャンデータ３３を端末５に送信する。
【０１１４】
次に、端末５の制御部５０は、画像記憶装置３Ｂから送られたそれらのデータを受信すると、第１の取得手段５００はスキャンデータ３１を、受付手段５０１は不良頁情報３２を、第２の取得手段５０２は再スキャンデータ３３をそれぞれ取得する。
【０１１５】
次に、特定手段５０３は、第２の取得手段５０２からその原稿画像を受け取ると、第１の実施の形態の特定手段２０３と同様に、その原稿画像から原稿の枚数を取得し（Ｓ１０２）、その原稿の枚数が２枚以上であると判断した場合には（Ｓ１０３：Ｙｅｓ）、スキャンデータ３１の原稿画像と再スキャンデータ３３の原稿画像とを頁単位で比較する（Ｓ１０４）。
【０１１６】
次に、特定手段５０３は、スキャンデータの原稿画像と再スキャンデータの原稿画像との間に同一性がある頁を検出した場合には（Ｓ１０５：Ｙｅｓ）、その同一性を有する頁を基準として、原稿の枚数をスキャンデータ３１及び再スキャンデータ３３に対してカウントする（Ｓ１０６）。
【０１１７】
次に、特定手段５０３は、原稿の枚数がスキャンデータ３１と再スキャンデータ３３とで同じと判断した場合には（Ｓ１０７：Ｙｅｓ）、第１の実施の形態と同様に、不良頁に対して修正頁による入れ替えを行うと判断し（Ｓ１２０）、表示手段５０４は、入れ替え画像確認画面を表示し、異なると判断した場合には（Ｓ１０７：Ｎｏ）、表示手段５０４は、不良頁に対して修正頁による差し込みを行うと判断し（Ｓ１２）、差し込み画像確認画面を表示する。
【０１１８】
上記ステップＳ１０３において、特定手段５０３が、その原稿枚数が１枚であると判断した場合（Ｓ１０３：Ｎｏ）、又は上記ステップＳ１０５において、同一性を有する頁を検出しなかった場合（Ｓ１０５：Ｎｏ）は、第１の実施の形態と同様に、修正確認メッセージを表示操作部４４に表示し（Ｓ１１０）、その修正確認メッセージに対するユーザからの入力に基づいて、入れ替え（Ｓ１２０）、差し込み（Ｓ１２１）、再スキャン（Ｓ１００）のいずれかのステップに進む。
【０１１９】
（３）スキャンデータの作成
作成手段５０５は、第１の実施の形態と同様に、特定手段５０３及び表示手段５０４により特定された結果に基づいて、不良頁に対応する修正頁の原稿画像により、スキャンデータ３１を修正して画像データ３０を作成し、その画像データ３０をネットワーク１０を介して、画像記憶装置３Ｂに送信する。
【０１２０】
そして、画像記憶装置３Ｂは、端末５から画像データ３０を受信すると、記憶部に記憶されたスキャンデータ３１、不良頁情報３２及び再スキャンデータ３３を削除し、その受信した画像データ３０を画像記憶装置３の記憶部に記憶する。
【０１２１】
［他の実施の形態］
なお、本発明は、上記各実施の形態に限定されず、本発明の趣旨を逸脱しない範囲内で種々な変形が可能である。例えば、第１及び第２の実施の形態では、スキャナ２及び複合機４で作成した画像データ３０をネットワーク１０を介して画像記憶装置３に記憶したが、スキャナ２及び複合機４がそれぞれ有する記憶部に画像データ３０を記憶してもよいし、スキャナ２及び複合機４からアクセス可能な外部記録メディア等に記憶してもよい。
【０１２２】
また、各実施の形態では、スキャナ２、複合機４及び端末５の第１の取得手段、受付手段、第２の取得手段、特定手段及び作成手段を、それぞれの制御部と画像処理プログラムとによって実現したが、それらの一部または全部を特定用途向け集積回路（ＡＳＩＣ：Application Specific IＣ）等のハードウェアによって実現してもよい。
【０１２３】
また、各実施の形態で使用される画像処理プログラムは、ＣＤ−ＲＯＭ等の記録媒体から各装置内の記憶部に読み込んでもよく、インターネット等のネットワークに接続されているサーバ等から各装置内の記憶部にダウンロードしてもよい。
【０１２４】
また、本発明の趣旨を逸脱しない範囲内で上記各実施の形態の構成要素を任意に組み合わせることができる。
【図面の簡単な説明】
【０１２５】
【図１】図１は、本発明の第１の実施の形態に係る画像処理システムの概略構成の一例を示す全体図である。
【図２】図２は、本発明の第１の実施の形態に係るスキャナの概略構成の一例を示すブロック図である。
【図３】図３は、スキャナに表示された原稿画像確認画面の一例を示す図である。
【図４】図４は、ＮＧボタンを押下したときの原稿画像確認画面の一例を示す図である。
【図５】図５（ａ）は、不良画像が含まれたスキャンデータと再スキャンデータの一例を示し、図５（ｂ）は、欠落画像が含まれたスキャンデータと再スキャンデータの一例を示す図である。
【図６】図６は、図５（ａ）に対する入れ替え画像確認画面の一例を示す図である。
【図７】図７は、図６において画像入れ替え後の入れ替え画像確認画面の一例を示す図である。
【図８】図８は、図５（ｂ）に対する差し込み画像確認画面の一例を示す図である。
【図９】図９は、図８において画像差し込み後の差し込み画像確認画面の一例を示す図である。
【図１０】図１０は、本発明の第１の実施の形態に係る画像処理システムの動作の一例を示すフローチャートである。
【図１１】図１１は、本発明の第２の実施の形態に係る画像処理システムの概略構成の一例を示す全体図である。
【図１２】図１２は、本発明の第２の実施の形態に係る複合機の概略構成の一例を示す全体図である。
【図１３】図１３は、複合機に表示された原稿画像確認画面の一例を示す図である。
【図１４】図１４（ａ）は、不良画像が含まれたスキャンデータと再スキャンデータの一例を示し、図１４（ｂ）は、欠落画像が含まれたスキャンデータと再スキャンデータの一例を示す図である。
【図１５】図１５は、本発明の第３の実施の形態に係る画像処理システムの概略構成の一例を示す全体図である。
【図１６】図１６は、本発明の第３の実施の形態に係る端末の概略構成の一例を示すブロック図である。
【符号の説明】
【０１２６】
１Ａ〜１Ｃ…画像処理システム、２…スキャナ、３Ａ，３Ｂ…画像記憶装置、
４，４Ａ，４Ｂ…複合機、５…端末、１０…ネットワーク、１１…電話回線網、
１２Ａ〜１２Ｃ…原稿画像確認画面、１３Ａ〜１３Ｄ…スキャンデータ、
１４Ａ〜１４Ｄ…再スキャンデータ、１５Ａ，１５Ｂ…画像確認画面、
１６Ａ，１６Ｂ…画像確認画面、２０…制御部、２１…記憶部、２２…読取部、
２３…ネットワーク通信部、２４…表示操作部、２５…バス、３０…画像データ、
３１…スキャンデータ、３２…不良頁情報、３３…再スキャンデータ、
４０…制御部、４１…記憶部、４２…読取部、４３…印刷部、４４…表示操作部、
４５…ネットワーク通信部、４６…ファクシミリ通信部、４７…バス、５０…制御部、
５１…記憶部、５２…通信部、５３…入力部、５４…表示部、
１２０，１２１Ａ，１２１Ｂ…原稿画像、１２２Ａ…左矢印ボタン、
１２２Ｂ…右矢印ボタン、１２３…ＮＧボタン、１２４Ａ…ＯＫボタン、
１２４Ｂ…キャンセルボタン、１２５Ａ…不良頁マーク、１２５Ｂ…不良頁枠、
１２６…再スキャンボタン、１３０Ａ〜１３０Ｅ…原稿画像、１３１Ａ〜１３１Ｅ…頁像、
１３２…欠落画像、１４０Ａ〜１４０Ｅ…原稿画像、１４１Ａ〜１４１Ｅ…頁像、
１５０…スキャンデータ表示領域、１５１…再スキャンデータ表示領域、
１５２Ａ…ＯＫボタン、１５２Ｂ…キャンセルボタン、１５３…入れ替え矢印、
１５４…不良頁マーク、１５５…入れ替え済みマーク、
１５６…入れ替え後の原稿画像、１５７…頁像、１６０…スキャンデータ表示領域、
１６１…再スキャンデータ表示領域、１６２Ａ…ＯＫボタン、
１６２Ｂ…キャンセルボタン、１６３…差し込み矢印、１６４…不良頁マーク、
１６６…差し込み済みマーク、１６７…差し込み後の原稿画像、
１６８…頁像、２００…第１の取得手段、２０１…受付手段、２０２…第２の取得手段、
２０３…特定手段、２０４…表示手段、２０３…作成手段、２１０…画像処理プログラム、
４００…第１の取得手段、４０１…第２の取得手段、４０２…特定手段、
４０３…表示手段、４０４…作成手段、４１０…画像処理プログラム、
５００…第１の取得手段、５０１…受付手段、５０２…第２の取得手段、
５０３…特定手段、５０４…表示手段、５０５…作成手段、５１０…画像処理プログラム
【図１】
2009033451.tif 000003
【図２】
2009033451.tif 000004
【図３】
2009033451.tif 000005
【図４】
2009033451.tif 000006
【図５】
2009033451.tif 000007
【図６】
2009033451.tif 000008
【図７】
2009033451.tif 000009
【図８】
2009033451.tif 000010
【図９】
2009033451.tif 000011
【図１０】
2009033451.tif 000012
【図１１】
2009033451.tif 000013
【図１２】
2009033451.tif 000014
【図１３】
2009033451.tif 000015
【図１４】
2009033451.tif 000016
【図１５】
2009033451.tif 000017
【図１６】
2009033451.tif 000018